(57)【特許請求の範囲】
【請求項１】
深夜電力により加熱した温水を浴槽（１）内に供給する温水供給手段（１０ａ、２０、２２、３０、３１、３２、３３、３４）と、
前記浴槽（１）内の浴水を前記浴槽（１）外に排水する排水手段（１０ｂ、１１、６０、６１）と、
前記浴水の温度が低下したときには、前記排水手段（１０ｂ、１１、６０、６１）により前記浴水を所定量排水した後、排水量および前記浴水の温度から、前記温水を前記浴槽（１）内に供給完了した際に前記浴水の温度が設定温度となる注湯温度を算出し、算出した前記注湯温度に温度調節した前記温水を前記温水供給手段（１０ａ、２０、２２、３０、３１、３２、３３、３４）により前記所定量供給して前記浴槽（１）内の前記浴水を保温制御する制御装置（２００）とを有することを特徴とする風呂自動湯張り装置。
【請求項２】
前記排水手段（１０ｂ、１１、６０、６１）は、排水通路（１０ｂ、６１）と、この排水通路（１０ｂ、６１）に前記浴水を圧送する浴水圧送手段（１１）と、前記排水通路（１０ｂ、６１）を開閉する排水通路開閉手段（６０）とを備え、
前記制御装置（２００）は、前記浴槽（１）内の前記浴水を排水するときには、前記浴水圧送手段（１１）を作動するとともに、前記排水通路開閉手段（６０）を開くように制御することを特徴とする請求項１に記載の風呂自動湯張り装置。
【請求項３】
前記浴槽（１）内の浴水を前記浴槽（１）外に循環する循環回路（１０）を有し、
前記排水圧送手段（１１）は、前記循環回路（１０）に設けられ前記循環回路（１０）に前記浴水を流す循環ポンプ（１１）であり、
前記排水通路開閉手段（６０）は、前記循環回路（１０）の前記循環ポンプ（１１）下流側に設けられ前記循環回路（１０）内の前記浴水を前記循環回路（１０）外に排水する排水弁（６０）であることを特徴とする請求項２に記載の風呂自動湯張り装置。
【請求項４】
前記制御装置（２００）は、前記浴槽（１）内の前記浴水の水位が設定水位以上である場合に前記浴槽（１）内に高温差し湯を行なうときには、前記温水供給手段（１０ａ、２０、２２、３０、３１、３２、３３、３４）により前記温水を前記浴槽（１）内に供給する前に、前記排水手段（１０ｂ、１１、６０、６１）により前記浴槽（１）内の前記浴水を排水するように制御することを特徴とする請求項１ないし請求項３のいずれか１つに記載の風呂自動湯張り装置。
【請求項５】
前記制御装置（２００）は、前記浴槽（１）内に前記循環回路（１０）を循環可能な前記浴水があり、かつ前記浴槽（１）内の前記浴水が所定温度以下の場合に前記浴槽（１）内に湯張りを行なうときには、前記温水供給手段（１０ａ、２０、２２、３０、３１、３２、３３、３４）により前記温水を前記浴槽（１）内に供給する前に、前記排水手段（１０ｂ、１１、６０、６１）により前記浴槽（１）内の前記浴水を排水するように制御することを特徴とする請求項３に記載の風呂自動湯張り装置。
【発明の詳細な説明】
【０００１】
【発明の属する技術分野】
本発明は、深夜電力により加熱された温水を湯張りする風呂自動湯張り装置に関し、特に湯張りされた浴水の保温制御に関する。
【０００２】
【従来の技術】
従来技術として、例えば特開平５−６６０５４号公報に開示された風呂自動湯張り装置がある。この風呂自動湯張り装置は、貯湯タンク内に深夜電力により加熱された高温の湯を貯えており、浴槽への湯張り時には、貯湯タンク内の高温の湯と水とを適宜混合して浴槽内に供給するようになっている。
【０００３】
そして、浴槽内の浴水の温度が低下した場合には、浴槽に接続した浴水の循環回路に循環ポンプで浴水を循環し、循環回路に設けた電気ヒータに通電して循環する浴水を加熱することで、浴槽内の浴水を保温するようになっている。
【０００４】
【発明が解決しようとする課題】
しかしながら、上記従来技術では、深夜時間帯以外に浴槽内の浴水を保温するときには、深夜電力を利用することができない。従って、深夜時間帯以外に長時間にわたって保温した場合、保温コストが上昇するという問題がある。
【０００５】
本発明は、上記点に鑑みてなされたもので、浴槽内の浴水を保温するときにも深夜電力を利用し、保温コストを抑制することができる風呂自動湯張り装置を提供することを目的とする。
【０００６】
【課題を解決するための手段】
上記目的を達成するため、請求項１に記載の発明では、深夜電力により加熱した温水を浴槽（１）内に供給する温水供給手段（１０ａ、２０、２２、３０、３１、３２、３３、３４）と、浴槽（１）内の浴水を浴槽（１）外に排水する排水手段（１０ｂ、１１、６０、６１）と、浴水の温度が低下したときには、排水手段（１０ｂ、１１、６０、６１）により浴水を所定量排水した後、排水量および浴水の温度から、温水を浴槽（１）内に供給完了した際に浴水の温度が設定温度となる注湯温度を算出し、算出した注湯温度に温度調節した温水を温水供給手段（１０ａ、２０、２２、３０、３１、３２、３３、３４）により前記所定量供給して浴槽（１）内の浴水を保温制御する制御装置（２００）とを有することを特徴としている。
【０００７】
これによると、排水手段（１０ｂ、１１、６０、６１）により浴水を所定量排水した後、深夜電力により加熱した温水を温水供給手段（１０ａ、２０、２２、３０、３１、３２、３３、３４）により排水量と同量供給して浴槽（１）内の浴水を保温することができる。従って、深夜電力を利用して浴槽（１）内の浴水を保温するので、保温時に電気ヒータに通電して浴水を加熱する場合よりも保温コストを抑制することができる。
【０００８】
これに加えて、温水供給量と浴水排水量が同量であるので、温水供給による保温であっても、浴槽（１）内の浴水が増加してしまうことがない。
【０００９】
また、請求項２に記載の発明では、排水手段（１０ｂ、１１、６０、６１）は、排水通路（１０ｂ、６１）と、この排水通路（１０ｂ、６１）に浴水を圧送する浴水圧送手段（１１）と、排水通路（１０ｂ、６１）を開閉する排水通路開閉手段（６０）とを備え、浴槽（１）内の浴水を排水するときには、浴水圧送手段（１１）を作動するとともに、排水通路開閉手段（６０）を開くことを特徴としている。
【００１０】
これによると、浴槽（１）内の浴水排水時には、排水通路開閉手段（６０）により排水通路（１０ｂ、６１）を開き、浴水圧送手段（１１）により浴水を圧送し排水通路（１０ｂ、６１）を介して排水することができる。従って、浴水を速やかに排水できる。また、排水通路（１０ｂ、６１）が浴槽（１）内の浴水面より上方に配置されていても排水が可能である。
【００１１】
また、請求項３に記載の発明では、浴槽（１）内の浴水を浴槽（１）外に循環する循環回路（１０）を有し、排水圧送手段（１１）は、循環回路（１０）に設けられ循環回路（１０）に浴水を流す循環ポンプ（１１）であり、排水通路開閉手段（６０）は、循環回路（１０）の循環ポンプ（１１）下流側に設けられ循環回路（１０）内の浴水を循環回路（１０）外に排水する排水弁（６０）であることを特徴としている。
【００１２】
これによると、浴槽（１）内の浴水排水時には、循環回路（１０）に浴水を流す循環ポンプ（１１）により浴水を圧送して排水弁（６０）を介して排水することができる。従って、排水専用の排水ポンプを設ける必要がない。
【００１３】
また、請求項４に記載の発明では、浴槽（１）内の浴水の水位が設定水位以上である場合に浴槽（１）内に高温差し湯を行なうときには、温水供給手段（１０ａ、２０、２２、３０、３１、３２、３３、３４）により温水を浴槽（１）内に供給する前に、排水手段（１０ｂ、１１、６０、６１）により浴槽（１）内の浴水を排水することを特徴としている。
【００１４】
これによると、高温差し湯時にも水位増加を抑えることができる。
【００１５】
また、請求項５に記載の発明では、浴槽（１）内に循環回路（１０）を循環可能な浴水があり、かつ浴槽（１）内の浴水が所定温度以下の場合に浴槽（１）内に湯張りを行なうときには、温水供給手段（１０ａ、２０、２２、３０、３１、３２、３３、３４）により温水を浴槽（１）内に供給する前に、排水手段（１０ｂ、１１、６０、６１）により浴槽（１）内の浴水を排水することを特徴としている。
【００１６】
これによると、浴槽（１）内に低温の残湯が多量にあるときに湯張りを行なっても、湯張り完了時に目標温度に到達しないという不具合を防止することができる。
【００１７】
なお、上記各手段に付した括弧内の符号は、後述する実施形態記載の具体的手段との対応関係を示す。
【００１８】
【発明の実施の形態】
以下、本発明の実施の形態を図に基づいて説明する。
【００１９】
（一実施形態）
図１は本発明を適用した風呂自動湯張り装置の概略構成を示す模式図である。
【００２０】
風呂自動湯張り装置の本体ユニット１００（図１中２点鎖線で囲んだ部分）は、浴室近傍の屋外適所に配置されている。１は浴槽であり浴室内に配置されている。浴槽１の内壁面下端部近傍には浴槽１内の浴水を吸い込む吸入口２と、浴槽１内に湯を吐出する吐出口３が設けられている。１０は循環回路であり、その両端は、吸入口２と吐出口３とに接続しており、浴槽１内の浴水を本体ユニット１００内に循環できるように配置されている。
【００２１】
循環回路１０は、後述する配管２０との接続点２１より下流側にある往き管１０ａと、接続点２１より上流側にある戻り管１０ｂとで構成されている。戻り管１０ｂには、循環回路１０内に浴槽１内の浴水を循環するための循環ポンプ１１が配置されている。本例では、循環ポンプ１１は、ハウジング内のインペラを回転させることにより浴水を圧送するタイプの電動ポンプを用いている。循環ポンプ１１が本実施形態における浴水圧送手段である。
【００２２】
戻り管１０ｂの循環ポンプ１１より上流側には、戻り管１０ｂの経路を連通または遮断する電動弁１２が設けられている。電動弁１２はサーボモータ等により経路を緩やかに開閉する電動弁であり、ソレノイド等により経路を瞬時に開閉する電磁弁よりも浴槽１が配置された浴室内へ伝わる作動音を低減することができる。戻り管１０ｂの電動弁１２が設けられた位置より上流側には、圧力検出手段である水位センサ１３が配設されており、戻り管１０ｂ内の圧力情報を浴槽１内の水位情報として後述する制御装置２００に出力するようになっている。
【００２３】
戻り管１０ｂの循環ポンプ１１より下流側には、戻り管１０ｂから分岐して外部の下水管等に繋がる排水管６１が接続している。そして、その分岐点には三方弁６０が設けられており、循環ポンプ１１が吐出した浴水の流れる向きを、循環回路１０または排水管６１に切り替えるようになっている。本例では、三方弁６０は、ボールバルブをサーボモータ等で駆動するタイプの電動弁である。
【００２４】
戻り管１０ｂと排水管６１とで本実施形態の排水通路を構成している。三方弁６０は、本実施形態における排水通路開閉手段であり、循環回路１０内の浴水を循環回路１０外に排水する排水弁である。そして、戻り管１０ｂ、排水管６１、循環ポンプ１１および三方弁６０で本実施形態の排水手段を構成している。
【００２５】
一方、往き管１０ａにはフロースイッチ１５が設けられており、往き管１０ａ内の浴水の流れの有無を後述する制御装置２００に出力するようになっている。また、往き管１０ａのフロースイッチ１５が設けられた位置より上流側には、温度検出手段である水温センサ１６が配設されており、往き管１０ａ内の温度情報を後述する制御装置２００に出力するようになっている。
【００２６】
３０は貯湯タンクであり、図示しない深夜電力により駆動するヒートポンプ装置もしくは深夜電力を通電する電気ヒータ等により加熱され導入管３１より供給された高温の湯を、内部に保温した状態で貯えるようになっている。本例では、貯湯タンク３０は、導入管３１より供給された高温の湯を内部貯えるものであったが、導入管３１から水道水等を導入し、貯湯タンク３０内で図示しない深夜電力により駆動するヒートポンプ装置もしくは深夜電力を通電する電気ヒータ等により加熱して、高温の湯として貯えるものであってもよい。
【００２７】
３４は温調弁であり、貯湯タンク３０から高温の湯を導出する導出管３２と水道水を導入する水道水導入管３３との合流点に配置されている。そして、温調弁３４は開口面積比を調節することにより、高温の湯と水道水との混合比率を調節できるようになっている。
【００２８】
温調弁３４の出口側と循環回路１０の接続点２１とは、給湯通路である配管２０で繋がれている。配管２０にはこの経路を連通または遮断する開閉手段である電磁弁２２が設けられている。配管２０の電磁弁２２と温調弁３４との間には、流量カウンタ２３が配設されており、配管２０を流れる湯の流量情報を後述する制御装置２００に出力するようになっている。
【００２９】
また、配管２０の電磁弁２２と接続点２１との間には、逆止弁２４が配設されており、配管２０の給湯圧力が循環回路１０内を循環する浴水の圧力より低い場合に、浴水が配管２０を逆流しないようになっている。循環回路１０、配管２０、電磁弁２２および構成３０〜３４が本実施形態における温水供給手段である。
【００３０】
また、図１中の２００は制御手段である制御装置であり、水位センサ１３からの圧力情報、フロースイッチ１５からの浴水の流れの有無、水温センサ１６からの温度情報、流量カウンタ２３からの流量情報、および浴室内に配置された操作盤４０に設けられた湯張りスイッチ４１からの信号、水位設定スイッチ４２からの信号、温度設定スイッチ４３からの信号等に基づいて、後述する手順に従って循環ポンプ１１、電動弁１２、電磁弁２２、温調弁３４および三方弁６０を制御するように構成されている。
【００３１】
次に、上記構成に基づき風呂自動湯張り装置の作動を説明する。
【００３２】
図２は、制御装置２００の全体概略動作を示すフローチャートである。風呂自動湯張り装置を設置し、図示しない電源スイッチをオンすると、制御装置２００は、まず諸設定の初期化を行なう（ステップＳ１１）。そして次に、湯張りスイッチ４１からの信号に基づいて湯張りスイッチ４１がオンされているかどうか判断する（ステップＳ１２）。
【００３３】
湯張りスイッチ４１がオンされていない場合には、図示しない他のスイッチの操作状態に応じて、高温足し湯、足し水等の各種手動動作制御を実行する（ステップＳ１３）。ただし図示しない他のスイッチがいずれも操作されていないときにはステップＳ１３は実行しない。そしてその後ステップＳ１２にリターンする。
【００３４】
ステップＳ１２で湯張りスイッチ４１がオンされていると判断した場合には、次に、初回湯張りかどうか判断する（ステップＳ１４）。初回の湯張りである場合には、初回湯張り制御を実行する（ステップＳ１５）。初回湯張り制御が開始されると、制御装置２００は、循環ポンプ１１を停止し、電動弁１２を閉じ、電磁弁２２を開く。なお、このとき三方弁６０は循環回路１０方向に開いている。
【００３５】
これにより、貯湯タンク３０内の高温の湯と水道水導入管３３から供給される水とが温調弁３４で混合され、配管２０と往き管１０ａを介して吐出口３から浴槽１内に湯張りされていく。このとき制御装置２００は、温度設定スイッチ４３からの信号と水温センサ１６からの温度情報とに基づいて温調弁３４を制御し、高温の湯と水道水との混合比率を調節して吐出口３から吐出する湯の温度を調節する。
【００３６】
また、制御装置２００は、湯張りが進行しているときに、流量カウンタ２３からの流量情報と水位センサ１３からの圧力情報とに基づき、水位センサ１３からの圧力情報で浴槽１内の水位を算出するための基準水位データや、風呂データ（水位に対する供給水量の各ポイントデータ等）を記憶する。ここで、湯張り時に電動弁１２を閉じているのは、往き管１０ａのみから徐々に湯張りを行ない基準水位や風呂データの精度を向上させるためである。
【００３７】
ステップＳ１４で初回湯張りではないと判断した場合には、水位センサ１３からの圧力情報と初回湯張り時に記憶したデータから、浴槽１内の水位が、水位設定スイッチ４２からの信号に基づく設定水位以上であるかどうか判断する（ステップＳ１６）。水位が設定水位未満の場合には、湯張り制御を実行する（ステップＳ１７）。
【００３８】
湯張り制御が開始されると、制御装置２００は、電磁弁２２を開き、水温センサ１６からの温度情報と温度設定スイッチ４３からの信号とに基づいて温調弁３４を制御して高温の湯と水道水とを混合し、配管２０と循環回路１０を介して浴槽１内に温水を供給する。温水の供給は浴槽１内の水位が設定水位になるまで行なう。なお、このとき三方弁６０は循環回路１０方向に開いている。
【００３９】
なお、湯張りを開始する前に、制御装置２００は電動弁１２を開くとともに循環ポンプ１１を駆動して、フロースイッチ１５により浴槽１内に循環回路１０を循環可能な浴水（残湯）があるかどうか確認する。そして、循環可能な残湯がある場合には、湯張りを行なうとき、電動弁１２を開くとともに循環ポンプ１１を駆動して、循環回路１０内に浴水を循環しながら配管２０から温水を供給し、温水を循環する浴水と混合して吐出口３から浴槽１内に吐出する。
【００４０】
循環可能な浴水（残湯）がない場合には、湯張りを行なうとき、電動弁１２を開くとともに循環ポンプ１１を停止して、配管２０から往き管１０ａと戻り管１０ｂとに温水を供給して吐出口３と吸入口２とから浴槽１内に吐出する。従って、吐出口３のみから湯張りする場合よりも速やかに湯張りをすることができる。湯張りが完了した場合には、自動保温制御を実行する（ステップＳ１８）。ステップＳ１５を終了した場合およびステップＳ１６で水位が設定水位以上の場合にもステップＳ１８に進み自動保温制御を実行する。
【００４１】
図３は、制御装置２００の概略の自動保温制御動作を示すフローチャートである。図３に示すように、自動保温制御が開始されると、制御装置２００は、まず、浴水温検出制御を行なう（ステップＳ１０１）。浴水温検出制御が行なわれると、電磁弁２２を閉じ、電動弁１２を開いて、循環ポンプ１１を作動させ、循環回路１０内に浴水を循環する状態とする。この状態で水温センサ１６からの温度情報により、浴槽１内の浴水温が温度設定スイッチ４３からの信号に基づく設定温度未満であるかどうか判断する（ステップＳ１０２）。なお、このとき三方弁６０は循環回路１０方向に開いている。
【００４２】
ここで、浴水温が設定温度以上であると判断した場合には、浴水を保温する必要はないので、図２に示すステップＳ１２にリターンする。浴水温が設定温度未満の場合には、電動弁１２を開き、三方弁６０を排水管６１方向に開くとともに、循環ポンプ１１を作動させる（ステップＳ１０３）。これにより、浴槽１内の浴水は、吸入口２から吸い込まれ、戻り管１０ｂから排水管６１に流れ込み、外部の下水管等に排水される。
【００４３】
そして、次に、ステップＳ１０３を実行後３分経過したかどうか判断する（ステップＳ１０４）。３分経過したら、循環ポンプ１１を停止し、三方弁６０を循環回路１０方向に開くとともに、電動弁１２を閉じる（ステップＳ１０５）。すなわち、浴槽１内の浴水を３分間排水したら排水を停止する。
【００４４】
排水を停止したら、水位センサ１３からの圧力情報と初回湯張り時に記憶したデータから排水量Ｙを算出する（ステップＳ１０６）。そして、次に、排水量ＹとステップＳ１０２で入力した浴水温とから、排水量Ｙと同量の温水を浴槽１内に供給完了したときに、浴槽１内の浴水の温度を温度設定スイッチ４３で設定された温度にするためには、供給する温水の温度を何度にすべきか算出する。すなわち、注湯温度を算出する（ステップＳ１０７）。
【００４５】
注湯温度を算出したら、電磁弁２２を開くとともに電動弁１２を開く（ステップＳ１０８）。これにより、高温の湯と水道水とが温調弁３４で混合された温水は、配管２０を介して接続点２１から循環回路１０に流入する。このとき、循環ポンプ１１は駆動しておらず、電動弁１２も開いているので、配管２０から接続点２１で循環回路１０に流入した温水は、往き管１０ａと戻り管１０ｂに流れ込む。
【００４６】
往き管１０ａに流れ込んだ温水は、吐出口３から浴槽１内に吐出し、戻り管１０ｂに流れ込んだ温水は、停止している循環ポンプ１１内を通過し、吸入口２から浴槽１内に吐出する。従って、往き管１０ａのみから注湯する場合よりも速やかに注湯することができる。なお、このとき制御装置２００は、水温センサ１６からの温度情報とステップＳ１０７で算出した注湯温度とに基づいて温調弁３４を制御して、高温の湯と水道水とを算出した注湯温度となるように混合している。
【００４７】
ステップＳ１０８を実行し、浴槽１内に注湯を開始すると、流量カウンタ２３からの流量情報に基づいて、配管２０を通過した温水の量、すなわち浴槽１内への注湯量がＹ以上であるかどうか判断する（ステップＳ１０９）。浴槽１内への注湯量がＹ以上となった場合には、電磁弁２２を閉じるとともに、電動弁１２を閉じ（ステップＳ１１０）、注湯を終了する。そして、その後図２に示すステップＳ１２へリターンする。
【００４８】
なお、図２に示すステップＳ１３において、浴槽１内の浴水の水位が設定水位以上である場合に浴槽１内に高温差し湯を行なうときには、電磁弁２２を開いて温水を浴槽１内に供給する前に、自動保温制御の浴水排水時と同様に、電動弁１２を開き、三方弁６０を排水管６１方向に開き、循環ポンプ１１を駆動して浴槽１内の浴水を足し湯と同量排水する。
【００４９】
また、図２に示すステップＳ１７において、浴槽１内に循環回路１０を循環可能な浴水があり、かつ浴槽１内の浴水が低温で、高温の湯で湯張りを完了しても浴水温が設定温度未満になってしまうと予測される場合には、電磁弁２２を開いて浴槽１内に湯張りを行なう前に、自動保温制御の浴水排水時と同様に、電動弁１２を開き、三方弁６０を排水管６１方向に開き、循環ポンプ１１を駆動して、浴槽１内の浴水を、高温の湯で湯張りを完了したときに浴水温が設定温度以上になると予測される量まで排水する。
【００５０】
上述の構成および作動によれば、浴槽１内の浴水を保温するとき、浴水を所定量排水した後、深夜電力により加熱した温水を排水量と同量供給して浴槽１内の浴水を保温することができる。従って、深夜電力を利用して加熱した温水で浴槽１内の浴水を保温するので、保温時に電気ヒータ等に通電して浴水を加熱する場合よりも保温コストを抑制することができる。
【００５１】
また、温水供給量と浴水排水量が同量であるので、温水供給による保温であっても、浴槽１内の浴水が増加してしまうことがない。
【００５２】
また、浴槽１内の浴水排水時には、三方弁６０を排水路６１側に開き、循環ポンプ１１により浴水を圧送して排水することができる。従って、浴水を速やかに排水でき、戻り管１０ｂや排水路６１が浴槽１内の浴水面より上方に配置されていても排水が可能である。これに加えて、排水専用の排水ポンプを設ける必要がない。
【００５３】
また、浴槽１内の浴水の水位が設定水位以上である場合の足し湯時にも水位増加を抑えることができる。また、浴槽１内に低温の残湯が多量にあるときに湯張りを行なっても、湯張り完了時に目標温度に到達しないという不具合を防止することができる。
【００５４】
これに加えて、従来往き管１０ａに配置していた高価な電気ヒータを廃止して、戻り管１０ｂに安価な三方弁を配置するものであるので、風呂自動湯張り装置のコストを低減することができる。
【００５５】
また、従来用いていた電気容量の大きな電気ヒータを廃止しているので、従来より、図示していないブレーカや配線等の容量を低下させることができる。
【００５６】
（他の実施形態）
上記一実施形態において、水位センサ１３は、戻り管１０ｂの電動弁１２上流側に設けたが、図４に示すように、往き管１０ａに設けてもよい。これによると、電動弁１２を開き、三方弁６０を排水管６１方向に開き、循環ポンプ１１を駆動して浴槽１内の浴水を排水しているときであっても、浴槽１内の浴水水位を検出できる。従って、排水を行ないながら、都度排水量を算出できる。
【００５７】
また、上記一実施形態において、ステップＳ１０９で注湯量を流量カウンタ２３からの流量情報により判定したが、水位センサ１３からの圧力情報と初回湯張り時に記憶したデータとから判定するものであってもよい。なお、この場合には、電動弁１２を閉じておく必要がある。
【００５８】
また、上記一実施形態において、排水手段は、浴水排水時には三方弁６０を排水管６１方向に開き循環ポンプ１１を駆動して戻り管１０ｂおよび排水管６１を介して排水するものであったが、配水管を循環回路１０と別に、もしくは循環回路１０の循環ポンプ１１上流側に分岐するように設けて、この排水管を開閉する弁を開き、排水管に設けた排水ポンプを駆動して排水するものであってもよい。
【００５９】
また、上記一実施形態において、３分等の実数値は例示であって、循環ポンプ１１の能力や戻り管１０ｂの長さ等に応じて適宜設定し得る。
【００６０】
また、上記一実施形態において、ステップＳ１０３では一定の経過時間（３分）を確保するものであったが、浴水温や浴水の水位から必要排水量を算出し、排水時間を可変制御するものであってもよい。
【図面の簡単な説明】
【図１】本発明の一実施形態における風呂自動湯張り装置の概略構成を示す模式図である。
【図２】本発明の一実施形態における制御装置２００の全体概略動作を示すフローチャートである。
【図３】本発明の一実施形態における制御装置２００の概略の自動保温制御動作を示すフローチャートである。
【図４】本発明の他の実施形態における風呂自動湯張り装置の要部概略構成を示す模式図である。
【符号の説明】
１  浴槽
１０  循環回路（温水供給手段の一部）
１０ａ  往き管
１０ｂ  戻り管（排水手段の一部、排水通路の一部）
１１  循環ポンプ（排水手段の一部、浴水圧送手段）
１３  水位センサ
１６  水温センサ
２０  配管（温水供給手段の一部）
２１  接続点
２２  電磁弁（温水供給手段の一部）
２３  流量カウンタ
３０  貯湯タンク（温水供給手段の一部）
３４  温調弁（温水供給手段の一部）
６０  三方弁（排水手段の一部、排水路開閉手段、排水弁）
６１  排水管（排水手段の一部、排水通路の一部）
１００  本体ユニット
２００  制御装置（制御手段）
【図１】
0004123700.tif 000002
【図２】
0004123700.tif 000003
【図３】
0004123700.tif 000004
【図４】
0004123700.tif 000005